(57)【要約】  移動装置用のアダプタが開示される。このアダプタは、ハンドル部分を備え、このハンドル部分がユーザの手に保持されたときユーザの手の人差指に接近するトリガースイッチがある。ハンドル部分の上には、移動装置の少なくとも一部分を受け入れるクレードル部分があり、移動装置がクレードル部分に入れられてハンドル部分がユーザの手に保持されたときに、移動装置のディスプレイの平面がハンドル部分の長手軸と実質的に整列してディスプレイがユーザに見えるようになる。クレードル部分には、データ取得装置が結合される。そのデータ取得装置は、トリガースイッチを作動した際に、物体からデータを取得する。【選択図】図３
2015529889.tif 000002
【特許請求の範囲】
【請求項１】
ハンドル部分であって、このハンドル部分がユーザの手に保持されたときユーザの手の人差指に接近するトリガースイッチを有するハンドル部分と、
前記ハンドル部分の上に位置し、移動装置の少なくとも一部分を受け入れるクレードル部分であって、移動装置がこのクレードル部分に位置されて前記ハンドル部分がユーザの手に保持されたときには、移動装置のディスプレイの平面が前記ハンドル部分の長手軸と実質的に整列してディスプレイがユーザに見えるようになるクレードル部分と、
前記クレードル部分に結合され、前記トリガースイッチを作動した際に、物体からデータを取得するデータ取得装置と、
を備えた移動装置用のアダプタ。
【請求項２】
前記クレードル部分は、更に、移動装置が前記クレードル部分に位置されたときに移動装置のコネクタに嵌合するコネクタを備えた、請求項１に記載のアダプタ。
【請求項３】
前記ハンドル部分は、バッテリを受け入れる形状である、請求項１に記載のアダプタ。
【請求項４】
前記データ取得装置は、レーザスキャナ、イメージャー、及び無線識別（ＲＦＩＤ）リーダーを含むグループから選択される、請求項１に記載のアダプタ。
【請求項５】
前記移動装置のディスプレイは、タッチスクリーンディスプレイを含む、請求項１に記載のアダプタ。
【請求項６】
前記移動装置が前記クレードル部分に位置されたとき前記移動装置のプロセッサと通信するプロセッサを更に備えた、請求項１に記載のアダプタ。
【請求項７】
前記クレードル部分は、リモート装置とワイヤレス通信するためのトランシーバを更に備えた、請求項１に記載のアダプタ。
【請求項８】
ソフトウェアアプリケーションを記憶するためのメモリを更に備え、移動装置が前記クレードル部分に位置されたときそのソフトウェアアプリケーションにより移動装置が構成される、請求項１に記載のアダプタ。
【請求項９】
移動装置用のアダプタを製造する方法において、
ハンドル部分を形成し、
前記ハンドル部分にトリガースイッチを結合し、前記ハンドル部分がユーザの手に保持されたときに前記トリガースイッチがユーザの手の人差指に接近するようにし、
前記ハンドル部分の上にクレードル部分が形成し、このクレードル部分は、移動装置の少なくとも一部分を受け入れる形状とされ、移動装置がこのクレードル部分に位置されて前記ハンドル部分がユーザの手に保持されたときに、移動装置のディスプレイの平面が前記ハンドル部分の長手軸と実質的に整列してディスプレイがユーザに見えるようにし、
前記クレードル部分にデータ取得装置を結合し、そのデータ取得装置が、前記トリガースイッチを作動した際に、物体からデータを取得するようにする、
ことを含む方法。
【請求項１０】
移動装置が前記クレードル部分に位置されたときに移動装置のコネクタに嵌合するコネクタを前記クレードル部分に結合することを更に含む、請求項９に記載の方法。
【請求項１１】
バッテリを受け入れる形状の空洞を前記ハンドル部分に形成することを更に含む、請求項９に記載の方法。
【請求項１２】
前記ハンドル部分がいつホルスターに入れられるか検出するセンサを前記ハンドル部分に結合することを更に含む、請求項９に記載の方法。
【請求項１３】
移動コンピュータであって、ディスプレイと、移動コンピュータのハウジングから接近可能なコネクタとを含む移動コンピュータと、
移動装置に取り外し可能に結合されるアダプタと、
を備え、前記アダプタは、
ハンドル部分であって、このハンドル部分がユーザの手に保持されたときユーザの手の人差指に接近するトリガースイッチを有するハンドル部分と、
前記ハンドル部分の上に位置し、移動装置の少なくとも一部分を受け入れるクレードル部分であって、移動装置がこのクレードル部分に位置されて前記ハンドル部分がユーザの手に保持されたときに、移動装置のディスプレイの平面が前記ハンドル部分の長手軸と実質的に整列してディスプレイがユーザに見えるようになり、更に、移動装置がこのクレードル部分に位置されたときに移動装置のコネクタに嵌合するコネクタを有しているクレードル部分と、
前記クレードル部分に結合されたデータ取得装置であって、前記トリガースイッチを作動した際に、物体からデータを取得してそれを移動装置へ送信するデータ取得装置と、
を含むものである、システム。
【請求項１４】
前記データは、移動装置の前記コネクタを通して移動装置へ送信される、請求項１３に記載のシステム。
【請求項１５】
前記アダプタは、移動装置のトランシーバとワイヤレス通信するためのトランシーバを更に含む、請求項１３に記載のシステム。
【請求項１６】
前記ハンドル部分に位置されたバッテリを更に備えた、請求項１３に記載のシステム。
【請求項１７】
前記データ取得装置は、レーザスキャナ、イメージャー、及び無線識別（ＲＦＩＤ）リーダーを含むグループから選択される、請求項１３に記載のシステム。
【請求項１８】
前記アダプタは、更に、移動装置が前記クレードル部分に位置されたときに移動装置のプロセッサと通信するプロセッサを備えた、請求項１３に記載のシステム。
【請求項１９】
前記アダプタは、更に、ソフトウェアアプリケーションを記憶するメモリを備え、移動装置が前記クレードル部分に位置されたときそのソフトウェアアプリケーションによって移動装置が構成される、請求項１３に記載のシステム。
【請求項２０】
前記移動装置のディスプレイは、タッチスクリーンディスプレイを含む、請求項１３に記載のシステム。
【発明の詳細な説明】
【技術分野】
【０００１】
関連出願の相互参照：本願は、２０１２年７月１３日に出願された“MOBILE COMPUTING DEVICE INCLUDING AN ERGONOMIC HANDLE”と題する米国プロビジョナル特許出願第６１／７４１，１６３号の優先権を主張するもので、その内容は、参考としてここにそのまま援用される。
【０００２】
本発明は、一般的に、移動装置用のアダプタに関する。より詳細には、本発明は、人間工学性を改善し且つ移動装置に機能を追加するためのアダプタに関する。
【背景技術】
【０００３】
スマートホンのような長方形の移動装置は、一般に、ユーザの手のひらに保持される。ユーザは、他方の手の指又は他方の手に保持されたスタイラスを使用して移動装置と相互作用する。テキスト使用の場合には、両手の親指を使用して移動装置の小さなキーボード又はグラフィックユーザインターフェイスにタイプする一方、他の指で移動装置を装置の裏面から支持する。
【発明の概要】
【０００４】
ある態様において、本発明は、移動装置用のアダプタで実施される。このアダプタは、ハンドル部分を備え、このハンドル部分がユーザの手に保持されたときユーザの手の人差指に接近するトリガースイッチがある。ハンドル部分の上には、クレードル部分がある。このクレードル部分は、移動装置の少なくとも一部分を受け入れ、移動装置がクレードル部分に入れられてハンドル部分がユーザの手に保持されたときに、移動装置のディスプレイの平面がハンドル部分の長手軸と実質的に整列してディスプレイがユーザに見えるようになる。クレードル部分には、データ取得装置が結合される。そのデータ取得装置は、トリガースイッチを作動した際に、物体からデータを取得する。
【０００５】
ある実施形態において、クレードル部分は、移動装置がクレードル部分に入れられたときに移動装置のコネクタに嵌合するコネクタも備えている。ハンドル部分は、バッテリを受け入れる形状にされる。別の実施形態では、データ取得装置は、レーザスキャナ、イメージャー及び無線識別（ＲＦＩＤ）リーダーを含むグループから選択される。
【０００６】
移動装置のディスプレイは、タッチスクリーンディスプレイである。アダプタは、移動装置がクレードル部分に入れられたときに移動装置のプロセッサと通信するプロセッサを備えている。又、クレードル部分は、リモート装置とワイヤレス通信するためのトランシーバも備えている。
【０００７】
アダプタは、ソフトウェアアプリケーションを記憶するためのメモリも備えている。ある実施形態では、移動装置がクレードル部分に入れられたときに、移動装置をソフトウェアアプリケーションにより構成することができる。
【０００８】
別の態様において、本発明は、移動装置用のアダプタを製造する方法で実施される。この方法は、ハンドル部分を形成することを含む。このハンドル部分には、トリガースイッチが結合され、ハンドル部分がユーザの手に保持されたときにトリガースイッチがユーザの手の人差指に接近するようにする。ハンドル部分の上には、クレードル部分が形成される。このクレードル部分は、移動装置の少なくとも一部分を受け入れる形状とされ、移動装置がクレードル部分に入れられてハンドル部分がユーザの手に保持されたときに、移動装置のディスプレイの平面がハンドル部分の長手軸と実質的に整列してディスプレイがユーザに見えるようになる。クレードル部分には、データ取得装置が結合され、そのデータ取得装置は、トリガースイッチを作動した際に、物体からデータを取得する。
【０００９】
又、この方法は、移動装置がクレードル部分に入れられたときに移動装置のコネクタに嵌合するコネクタをクレードル部分に結合することも含む。ある実施形態では、この方法は、バッテリを受け入れる形状の空洞をハンドル部分に形成することも含む。ハンドル部分には、センサを結合することができる。このセンサは、ハンドル部分がホルスターに入れられたときを検出する。
【００１０】
更に別の態様において、本発明は、移動コンピュータ及びアダプタを備えたシステムで実施される。移動コンピュータは、ディスプレイと、移動コンピュータのハウジングから接近できるコネクタとを備えている。アダプタは、移動装置に取り外し可能に結合される。アダプタは、ハンドル部分を備え、このハンドル部分がユーザの手に保持されたときユーザの手の人差指に接近するトリガースイッチがある。ハンドル部分の上には、移動装置の少なくとも一部分を受け入れるクレードル部分があり、移動装置がクレードル部分に入れられてハンドル部分がユーザの手に保持されたときに、移動装置のディスプレイの平面がハンドル部分の長手軸と実質的に整列してディスプレイがユーザに見えるようになる。クレードル部分は、移動装置がクレードル部分に入れられたときに移動装置のコネクタに嵌合するコネクタを含む。クレードル部分には、データ取得装置が結合される。そのデータ取得装置は、トリガースイッチを作動した際に物体からデータを取得する。データは、移動装置へ送信される。
【００１１】
ある実施形態では、データは、移動装置のコネクタを経て移動装置へ送信される。又、アダプタは、移動装置のトランシーバとワイヤレス通信するためのトランシーバも備えている。又、アダプタは、ハンドル部分に入れられるバッテリも備えている。データ取得装置は、レーザスキャナ、イメージャー及び無線識別（ＲＦＩＤ）リーダーを含むグループから選択される。
【００１２】
ある実施形態では、アダプタは、移動装置がクレードル部分に入れられたとき移動装置のプロセッサと通信するプロセッサを備えている。又、アダプタは、ソフトウェアアプリケーションを記憶するためのメモリも備えている。移動装置がクレードル部分に入れられたときに、移動装置がソフトウェアアプリケーションにより構成される。移動装置のディスプレイは、タッチスクリーンディスプレイである。
【００１３】
当業者であれば、図面中の要素は、簡単化及び明瞭化のために示されたもので、必ずしも適切な縮尺で描かれていないことが明らかであろう。例えば、種々の実施形態の理解向上を助けるため、図面中のある要素の寸法は、他の要素に対して誇張されている。更に、説明及び図面は、図示された順序を必ずしも必要としない。更に、あるアクション及び／又はステップは、特定の発生順序で説明され又は描かれていることが明らかであるが、当業者であれば、順序に関するそのような特殊性は、実際には要求されないことが理解されよう。装置及び方法の要素は、図面中に従来の記号によって適宜に表現され、この説明の利益を得る当業者に容易に明らかな細部を伴う開示を不明瞭にしないように、種々の実施形態を理解する上で適切な特定の細部しか示していない。従って、図示簡単化及び明瞭化のために、商業的に実現可能な実施形態に有用又は必要な共通の良く理解できる要素は、それら種々の実施形態の妨げの少ない展望を促進するために描かれないことが明らかであろう。
【００１４】
本発明の前記効果及び更に別の効果は、種々の図面にわたり同じ構造要素及び特徴部が同じ番号で示された添付図面を参照して以下の説明を読むことにより良く理解されよう。当業者であれば、カッコ内に示す参照番号は、討論中以外の図に示された要素を指示することが明らかであろう。例えば、図Ａを討論する間に装置（１０）について話すことは、図Ａ以外の図に示された要素１０を指している。
【図面の簡単な説明】
【００１５】
【図１】本発明の一実施形態による移動装置用のアダプタのコンポーネントを示すブロック図である。
【図２】本発明による規範的なアダプタの断面図である。
【図３】本発明の一実施形態によるアダプタを移動装置と共に示す。
【図４】本発明の一実施形態によるアダプタを移動装置と共にホルスターにおいて示す図である。
【発明を実施するための形態】
【００１６】
以下の詳細な説明は、例示に過ぎず、本発明、又は本発明の応用及び使用を限定するものではない。更に、技術分野、背景、簡単な概要又は以下の詳細な説明に提示される表現又は暗示される理論により束縛されることはない。簡潔化のために、装置スレッドの製造及び使用に関する多数の従来の技術及び原理は、ここに詳細に説明する必要がなく、説明されない。
【００１７】
機能及び／又は論理的なブロックコンポーネント及び種々の処理ステップに関して技術及びテクノロジーをここに説明する。そのようなブロックコンポーネントは、特定の機能を遂行するように構成された多数のハードウェア、ソフトウェア及び／又はファームウェアコンポーネントによって実現されることが明らかであろう。例えば、システム又はコンポーネントの一実施形態では、１つ以上のマイクロプロセッサ又は他のコントロール装置のコントロールのもとで種々の機能を実行する種々の集積回路コンポーネント、例えば、メモリ要素、デジタル信号処理要素、論理的要素、ルックアップテーブル、等が使用される。
【００１８】
以下の説明は、一緒に「接続」又は「結合」される要素又はノード又は特徴部を参照する。特に指示のない限り、ここに使用する「接続(connected)」とは、ある要素／ノード／特徴部が、別の要素／ノード／特徴部に、必ずしも機械的ではないが、直接的に結ばれ（又は直接的に通信する）ことを意味する。同様に、特に指示のない限り、「結合(coupled)」とは、ある要素／ノード／特徴部が別の要素／ノード／特徴部に、必ずしも機械的ではないが、直接的又は間接的に結ばれ（又は直接的又は間接的に通信する）ことを意味する。「規範的(exemplary)」という語は、「モデル」又は「価値のある模造品」ではなく、「例、事例又は例示」という意味で使用される。
【００１９】
ここに述べるテクノロジー及び概念は、移動装置を受け入れ又はドッキングするための装置スレッド又はアダプタに関するものである。アダプタは、ハンドル部分を備え、そのハンドル部分がユーザの手で保持されたときにユーザの手の人差指に接近するトリガースイッチがある。ハンドル部分の上には、クレードル部分がある。クレードル部分は、移動装置の一部分を受け入れる。移動装置がクレードル部分に入れられてハンドル部分がユーザの手に保持されたときに、移動装置のディスプレイの平面がハンドル部分の長手軸と実質的に整列してディスプレイがユーザに見えるようになる。クレードル部分には、データ取得装置が結合される。そのデータ取得装置は、トリガースイッチを作動した際に、物体からデータを取得する。
【００２０】
図１は、本発明の一実施形態による移動装置１０２のためのアダプタ１００のコンポーネントを示すブロック図である。アダプタ１００は、クレードル部分１０６及びハンドル部分１０８を有するハウジング１０４を備えている。クレードル部分１０６は、ハンドル部分１０８の上に位置される。ハンドル部分１０８は、トリガースイッチ１１０を含む。
【００２１】
移動装置１０２は、移動装置１０２の異なる機能をコントロールするための１つ以上のコントロールスイッチ１１２を備えている。移動装置１０２のディスプレイ１１４は、１つ以上のアイコン１１６を含むグラフィックユーザインターフェイス（ＧＵＩ）を表示する。アイコン１１６は、移動装置１０２の異なる機能に対応するようにプログラムすることができる。
【００２２】
移動装置１０２のプロセッサは、移動装置１０２のための従来の機能を発揮する。本発明の規範的実施形態による特定例では、以下に詳細に述べるように、移動装置１０２は、プロセッサで実行される複数のソフトウェアアプリケーション、例えば、データ、画像、ドキュメント及びビデオを捕獲して処理することに関連したソフトウェアアプリケーションを含む。メモリも、移動装置１０２のための従来の機能を発揮する。例えば、メモリは、移動装置のプロセッサにより遂行される動作に関連したデータ及びソフトウェアアプリケーションを記憶する。
【００２３】
ディスプレイ１１４は、ユーザにデータを表示するように構成された任意のコンポーネントである。ディスプレイ１１４は、例えば、液晶ディスプレイ（ＬＣＤ）を含む。又、ディスプレイ１１４は、ユーザがディスプレイ１１４に入力を直接的にエンターできるようにするタッチスクリーン能力も含む。移動装置１０２のトランシーバは、通信ネットワークとデータを交換する方法を移動装置１０２に与えることができる。
【００２４】
プロセッサは、移動装置１０２のある機能に対応してディスプレイ１１４にアイコン１１６を含むグラフィックユーザインターフェイス（ＧＵＩ）を発生することができる。
【００２５】
クレードル部分１０６は、一般的に、プロセッサ１２０及びメモリ１２２を備えている。プロセッサ１２０は、メモリ１２２に記憶されたソフトウェアアプリケーションを実行するのに使用される。メモリ１２２は、リードオンリメモリ（ＲＯＭ）、ランダムアクセスメモリ（ＲＡＭ）、フラッシュメモリ、ディスクドライブメモリ、又は他の適当なストレージテクノロジーのような適当なメモリである。
【００２６】
クレードル部分１０６には、データ取得装置１２４が位置される。このデータ取得装置１２４は、物体からデータを取得する。例えば、データ取得装置１２４は、画像捕獲装置、レーザスキャナ、無線識別（ＲＦＩＤ）モジュール、又は多数のデータ取得装置１２４の組み合わせである。ある実施形態では、データ取得装置１２４がイメージャーであるとき、クレードル部分１０６は、光源１２６も備える。この光源１２６は、イメージャーにより捕獲される物体を照明する。
【００２７】
ある実施形態では、イメージャーは、画像データを捕獲するように構成された任意のコンポーネントである。例えば、イメージャーは、任意の形式の画像センサ（１つ又は複数）を含む。イメージャーは、その視野（ＦｏＶ）に画像を捕獲する。ある実施形態では、イメージャーのＦｏＶに捕獲された画像は、移動装置１０２のディスプレイ１１４に表示することができる。
【００２８】
クレードル部分１０６は、コネクタ１２８も備えている。このコネクタ１２８は、クレードル部分１０６にドッキングされた移動装置１０２のコネクタ１３０に嵌合するように構成される。例えば、移動装置１０２のコネクタ１３０は、移動装置１０２のハウジングの底部から外部的に接近して、クレードル部分１０６のベースに位置する対応コネクタ１２８に嵌合させることができる。クレードル部分１０６は、対応する移動装置１０２ごとに適当なコネクタが取り付けられる。アダプタ１００は、移動装置１０２がクレードル部分１０６にドッキングされたときに移動装置１０２の１つ以上の機能をコントロールすることができる。例えば、移動装置１０２は、それがアダプタ１００にいつドッキングされたか感知するように予め構成することができる。
【００２９】
ある実施形態では、ドッキング動作の前に移動装置１０２にドッキングアプリケーションが事前にロードされる。或いは、移動装置１０２がアダプタ１００に挿入され又は位置されたときにアダプタ１００を経て移動装置１０２にドッキングアプリケーションがロードされてもよい。ドッキングアプリケーションは、アダプタ１００に使用するように移動装置１０２を構成するのに使用される。例えば、ドッキングアプリケーションは、アダプタ１００のトリガースイッチ１１０の作動を確認するように移動装置１０２を構成する。トリガースイッチ１１０の作動は、データ取得装置１２４のデータ捕獲機能を開始する。ある実施形態では、捕獲されたデータが移動装置１０２へ送信され、アダプタ１００を経て更に処理される。
【００３０】
ある実施形態では、クレードル部分１０６は、運動センサ１３４も備えている。この運動センサ１３４は、アダプタ１００の方向及び位置の変化を検出する。例えば、運動センサ１３４は、ユーザがアダプタ１００のハンドル部分１０８を垂直方向から水平方向に動かしたかどうか指示する運動データを発生する。プロセッサ１２０は、その運動データを処理し、そして移動装置１０２のプロセッサに、移動装置１０２のディスプレイ１１４を肖像モードから風景モードへ方向付けし直すように命令する。移動装置１０２に一体型の運動センサが設けられたときには、アダプタ１００の運動センサ１３４は、例えば、物理的な乱用又はドッキングのような他の動きを検出するのに使用される。
【００３１】
ある実施形態では、クレードル部分１０６は、任意のトランシーバ１３６も備えている。このトランシーバ１３６は、プロセッサ１２０に結合され、そして移動装置１０２及び／又はリモート装置とワイヤレス通信することができる。例えば、データ取得装置１２４を使用して捕獲されたデータは、トランシーバ１３６を使用して移動装置１０２及び／又はリモート装置へワイヤレス送信される。トランシーバ１３６は、ネットワークを経て通信する任意の適当な無線装置である。例えば、トランシーバ１３６は、Ｂｌｕｅｔｏｏｔｈ（登録商標）又はワイヤレスローカルエリアネットワーク（ＷＬＡＮ）のようなパーソナルエリアネットワーク（ＰＡＮ）を経て、移動装置及び／又は別のリモート装置に接続することができる。
【００３２】
クレードル部分１０６は、アダプタ１００の機能を増加する任意のコンポーネント１３８も備えている。例えば、任意のコンポーネントは、１つ以上の発光ダイオード（ＬＥＤ）である。ＬＥＤは、データ捕獲成功事象を指示する。ある実施形態では、ＬＥＤは、クレードル部分１０６に位置する移動装置の充電状態を指示する。ある実施形態では、任意のコンポーネントは、クレードル部分１０６に位置するポインティング装置を含み、そのポインティング装置は、ハンドル部分１０８によりアダプタ１００を保持しているユーザの親指を接近することができる。ポインティング装置は、移動装置１０２がクレードル部分１０６に位置されたときに移動装置１０２に表示されるマウスポインタを操作することができる。ポインティング装置は、ポインティングスティック、トラックボール、タッチパッド、又は他の適当なポインティング装置である。
【００３３】
一般的に、ハンドル部分１０８は、ピストルグリップ形態である。ハンドル部分１０８は、トリガースイッチ１１０を備えている。このトリガースイッチ１１０は、データ取得装置１２４を作動する。又、トリガースイッチ１１０は、クレードル部分１０６に位置する移動装置１０２の１つ以上の機能をコントロールするのにも使用される。トリガースイッチ１１０は、ハンドル部分１０８に配置され、ハンドル部分１０８がユーザの手に保持されたときにユーザの手の人差指に接近する。
【００３４】
ハンドル部分１０８は、任意のバッテリ１４０を受け入れる形状にされる。例えば、ハンドル部分１０８は、バッテリ１４０を受け入れるように構成された空洞を備えている。又、ある実施形態では、ハンドル部分１０８は、バッテリ１４０を充電し及び／又は移動装置１０２へ／からデータを転送するための任意の充電／データコネクタ１４２も備えている。この任意の充電／データコネクタ１４２は、ハンドル部分１０８の下に配置される。ある実施形態では、ハンドル部分１０８は、ハンドル部分１０８の充電／データコネクタ１４２に嵌合するコネクタを有する充電クレードル（図示せず）にドッキングさせることができる。
【００３５】
又、ハンドル部分１０８は、任意のセンサ１４４も備えている。このセンサ１４４は、これにより認知される照明の変化を検出する光検出器である。しかしながら、実際には、任意の適当なセンサを使用することができる。例えば、センサ１４４は、このセンサ１４４を覆うホルスターにいつハンドル部分１０８が挿入されるか検出する。ある実施形態では、センサ１４４は、ハンドル部分１０８がユーザの手にいつ保持されるか検出する。センサ１４４は、センサデータを発生する。アダプタ１００又は移動装置１０２のプロセッサ１２０は、センサデータに応答して移動装置１０２の動作を変更する。例えば、アダプタ１００は、移動装置１０２と共に、アダプタ１００がホルスターに入れられたことをセンサ１４４が検出したときに、ハンズフリープレゼンテーションモードに自動的に入ることができる。
【００３６】
図２は、本発明による規範的アダプタ２００の断面図である。このアダプタ２００は、クレードル部分２０２及びハンドル部分２０４を備えている。クレードル部分２０２は、移動装置（図示せず）を受け入れるように構成されたスロット２０６を含む。クレードル部分２０２のベースにはコネクタ（図示せず）が位置される。このコネクタは、移動装置のコネクタに嵌合される。このコネクタは、アダプタ２００と移動装置との間にデータ及び電力信号を通過させる。
【００３７】
クレードル部分２０２は、データ取得装置２０８も備えている。このデータ取得装置２０８は、レーザスキャナ、画像捕獲装置、又は無線識別（ＲＦＩＤ）装置である。ある実施形態では、データ取得装置２０８は、スロット２０６に隣接して配置される。
【００３８】
ハンドル部分２０４は、トリガースイッチ２１０を備えている。このトリガースイッチ２１０は、単極瞬時スイッチのような瞬時スイッチである。ある実施形態では、トリガースイッチ２１０は、双極スイッチである。双極スイッチの各スイッチは、アダプタ２００及び／又はアダプタ２００に入れられた移動装置の異なる機能を作動させる。
【００３９】
ハンドル部分２０４は、バッテリを受け入れるための空洞２１２も備えている。バッテリは、使い捨てバッテリ又は充電型バッテリである。ハンドル部分２０４は、充電コネクタ２１４も備えている。この充電コネクタ２１４は、バッテリ及び／又はクレードル部分２０２に挿入された移動装置のバッテリを充電するのに使用される。
【００４０】
図３は、本発明の一実施形態によるアダプタ３００を移動装置３０２と共に示す。アダプタ３００は、クレードル部分３０４及びハンドル部分３０６を備えている。クレードル部分３０４は、移動装置３０２を受け入れるようにされる。
【００４１】
移動装置３０２は、移動コンピュータ、セルラー（スマート）電話、パーソナルデジタルアシスタント（ＰＤＡ）、又は他の適当な装置である。ある実施形態では、移動装置３０２は、タッチスクリーンディスプレイ３０８を備えている。このディスプレイ３０８には、１つ以上のアイコン３１０が表示される。アイコン３１０は、移動装置３０２で実行される異なるソフトウェアアプリケーション又は機能に対応する。移動装置３０２は、他のグラフィックユーザインターフェイスを含むこともできる。
【００４２】
移動装置３０２は、外部から接近できるコネクタ３１２を備えている。このコネクタ３１２は、移動装置３０２へ／から電力及びデータを供給し／受け取るのに使用される。コネクタ３１２は、クレードル部分３０４に配置されたコネクタ３１４に嵌合される。
【００４３】
動作中、ユーザは、移動装置３０２をクレードル部分３０４に挿入し、そしてコネクタ３１２をコネクタ３１４に結合する。移動装置３０２がクレードル部分３０４に入れられてハンドル部分３０６がユーザの手に保持されたときに、移動装置３０２のディスプレイ３０８の平面がハンドル部分３０６の長手軸３１６と実質的に整列してディスプレイ３０８がユーザに見えるように、移動装置３０２が位置される。
【００４４】
ハンドル部分３０６は、ユーザの手にハンドル部分３０６が保持されたときユーザの手の人差指に接近するトリガースイッチ３２０を備えている。ハンドル部分３０６は、ユーザがいつアダプタ３００を保持するか感知するセンサ３２２も備えている。このセンサ３２２は、アダプタ３００がホルスター（図示せず）にいつ保持されるかも決定する。移動装置３０２は、センサ３２２からの出力信号に応答して所定の動作モードへ自動的に切り換わる。
【００４５】
図４は、本発明の一実施形態によるアダプタを移動装置と共にホルスターにおいて示す図である。ホルスター４０４は、アダプタ４００を受け入れる。ホルスター４０４は、ナイロンファブリック、プラスチック、レザーのような柔軟な材料、又は他の適当な材料から製造される。
【００４６】
ホルスター４０４は、ベルト４０６に結合される。ベルト４０６は、ベルト４０６の長さを調整するためのバックル４０８を含む。例えば、ベルト４０６は、ユーザの腰、胴又は肩の周りに着用される。ある実施形態では、ホルスター４０４は、移動装置４０２を含むアダプタ４００を携帯するのに使用される。ホルスター４０４は、データ取得装置２０２（図２）がハンズフリープレゼンテーション動作モードにおいてデータを捕獲する位置に来るように、アダプタ４００を配置させる。
【００４７】
ある実施形態では、アダプタ４００は、クレードル部分４１０及びハンドル部分４１２を単一の材料成形部片で形成することにより製造される。アダプタ４００のハンドル部分４１２にはトリガースイッチ（図示せず）が位置される。このトリガースイッチは、ハンドル部分４１２がユーザの手に保持されたときにユーザの手の人差指に接近する。
【００４８】
ある実施形態では、トリガースイッチは、アダプタ４００及び／又は移動装置４０２の少なくとも一方の機能を作動させる。例えば、トリガースイッチは、アダプタ４００のデータ捕獲機能を作動させることができる。別の実施形態では、トリガースイッチは、移動装置４０２のディスプレイ（図示せず）上に見ることのできるカーソルで強調されたオプションを選択することができる。ある実施形態では、アダプタ４００及び移動装置４０２の組み合わせが、片手でコントロールするように構成される。
【００４９】
以上、特定の実施形態について説明した。しかしながら、当業者であれば、特許請求の範囲に規定される本発明の範囲から逸脱せずに種々の変更や修正がなされ得ることが明らかであろう。従って、明細書及び図面は、それに限定されず、単なる例示に過ぎず、そのような変更は、全て、本教示の範囲内に包含されることが意図される。利益、効果、問題の解決策、並びにその利益、効果又は解決策を生じさせ又はそれらをより顕著なものにする要素は、任意の又は全ての請求項の、重要な、要求される、或いは本質的な特徴又は要素として解釈してはならない。本発明は、本出願及び問題となる請求項の全ての等効物の係争中になされる補正を含めて特許請求の範囲のみによって規定される。
【００５０】
更に、ここでは、第１及び第２、上部及び下部、等の関連用語は、エンティティ又はアクション間の実際の関係又は順序を必ずしも要求又は暗示せずに、あるエンティティ又はアクションを別のエンティティ又はアクションから区別するために使用されるに過ぎない。語「comprises(備える)」「comprising(備えている)」「has(有する)」「having(有している)」「includes(含む)」「including(含んでいる)」「contains(収容する)」「containing(収容している)」又は他の変形は、非排他的包含を網羅するものであり、要素のリストを備え、有し、含み、収容するプロセス、方法、物品又は装置は、それらの要素だけを含むのではなく、そのようなプロセス、方法、物品又は装置に対して明確にリストされず又は固有のものでもない他の要素も含む。“comprises…a”“has…a”“includes…a”“contains…a”が先行する要素は、より多くの制約を伴わずに、その要素を備え、有し、含み又は収容するプロセス、方法、物品又は装置における付加的な同一の要素の存在を除外するものではない。語“a”及び“an”は、明確に指示されない限り１つ以上として定義される。語“substantially(実質的に)”“essentially(本質的に)”“approximately(ほぼ)”“about(約)”又は他のバージョンは、当業者により理解されるものと同程度に近いものとして定義され、１つの非限定実施形態では、この語は、１０％以内と定義され、別の実施形態では、５％以内と定義され、更に別の実施形態では、１％以内と定義され、そして更に別の実施形態では、０．５％以内と定義される。ある仕方で“構成(configured)”された装置又は構造体は、少なくともその仕方で構成されるが、リストされていない仕方で構成されてもよい。
【００５１】
ある実施形態は、１つ以上の一般的な又は特殊なプロセッサ（又は「処理装置」）、例えば、マイクロプロセッサ、デジタル信号プロセッサ、カスタマイズされたプロセッサ、及びフィールドプログラマブルゲートアレイ（ＦＰＧＡ）と、ここに述べる方法及び／又は装置の幾つかの、ほとんどの又は全ての機能を、ある非プロセッサ回路に関連して実施するように１つ以上のプロセッサをコントロールする独特の記憶されたプログラムインストラクション（ソフトウェア及びファームウェアの両方を含む）とで構成される。非プロセッサ回路は、これに限定されないが、無線受信器、無線送信器、信号ドライバ、クロック回路、電源回路、及びユーザ入力装置を含む。従って、それらの機能は、ここに述べる方法のステップとして解釈される。或いは又、幾つかの又は全ての機能は、プログラムインストラクションを記憶していない状態マシンにより実施することもできるし、或いは各機能又はある機能の幾つかの組み合わせがカスタムロジックとして実施される１つ以上の特定用途向け集積回路（ＡＳＩＣ）において実施することもできる。勿論、２つの解決策を組み合わせて使用することもできる。状態マシン及びＡＳＩＣは、両方とも、ここでは、以上の議論及び特許請求の範囲の言語として「処理装置」と考えられる。
【００５２】
更に、ある実施形態は、本明細書及び請求の範囲に述べられた方法を遂行するようにコンピュータ（例えば、処理装置を備えた）をプログラムするためのコンピュータ読み取り可能なコードが記憶されたコンピュータ読み取り可能な記憶要素又は媒体として具現化される。そのようなコンピュータ読み取り可能な記憶要素は、例えば、ハードディスク、ＣＤ−ＲＯＭ、光学的記憶装置、磁気記憶装置、ＲＯＭ（リードオンリメモリ）、ＰＲＯＭ（プログラマブルリードオンリメモリ）、ＥＰＲＯＭ（消去可能なプログラマブルリードオンリメモリ）、ＥＥＰＲＯＭ（電気的に消去可能なプログラマブルリードオンリメモリ）及びフラッシュメモリを含むが、これらに限定されない。更に、当業者であれば、ここに開示する概念及び原理により誘導されるときに、例えば、利用できる時間、現在の技術、及び経済性の事柄によって動機付けされる著しい努力及び多数の設計上の選択肢が考えられるにも関わらず、そのようなソフトウェアインストラクション及びプログラム並びにＩＣを最小限の実験で容易に生成できることが予想される。
【００５３】
読者がこの技術開示の特性を素早く確認できるようにするために要約書を設ける。これは、請求の範囲又はその意味を解釈し又は限定するのに使用されるものではないとの理解で提出される。更に、詳細な説明において、種々の特徴は、開示を合理化する目的で種々の実施形態に一緒にグループ化されることが明らかであろう。この開示方法は、請求項に述べる実施形態が各請求項に明確に述べられた以上の特徴を要求するという意図を反映するものと解釈してはならない。むしろ、請求項に反映されるように、発明の要旨は、開示される１つの実施形態の、全部より少ない特徴にある。従って、各請求項が、それ自身、別々に請求される要旨として確立された特許請求の範囲が詳細な範囲に合体される。
【００５４】
以上の詳細な説明では、少なくとも１つの規範的実施形態が提示されたが、非常に多数の変形例が存在することが明らかであろう。又、ここに述べる規範的実施形態は、請求項に述べる要旨の範囲、利用性又は構成を何ら限定するものでないことが明らかであろう。むしろ、以上の詳細な説明は、ここに述べる実施形態を具現化するための便利なロードマップを当業者に与えるものである。本願の出願時点で知られた等効物及び予見可能な等効物を含む特許請求の範囲から逸脱せずに、要素の機能及び配列に種々の変更がなされ得ることを理解されたい。
【００５５】
更に、ここに含まれる章の見出しは、検討をし易くするもので、本発明の範囲を限定するものではない。従って、明細書及び添付図面は、例示とみなされ、特許請求の範囲を何ら限定するものではない。
【００５６】
特許請求の範囲を解釈する際には、次のことを理解されたい。
ａ）語“comprising(備える)”は、所与の請求項に取り上げられた以外の要素又は行動の存在を除外するものではない。
ｂ）ある要素に先行する語“a”又は“an”（１つ）は、複数のそのような要素の存在を除外するものではない。
ｃ）請求項における参照符号は、範囲を限定するものではない。
ｄ）同じアイテム又はハードウェア又はソフトウェア具現化構造又は機能により多数の“means(手段)”が表わされる。
ｅ）ここに開示されるいずれの要素も、ハードウェア部分（例えば、個別の及び一体的な電子回路を含む）、ソフトウェア部分（例えば、コンピュータプログラミング）、及びその組み合わせで構成される。
ｆ）ハードウェア部分は、アナログ及びデジタル部分の一方又は両方で構成される。
ｇ）ここに開示するいずれの装置又は部分も、特に、指示のない限り、一緒に結合することもできるし、更に別の部分へと分離することもできる。
ｈ）特に、指示のない限り、アクション又はステップの特定シーケンスが要求されるものではない。
【符号の説明】
【００５７】
１００：アダプタ
１０２：移動装置
１０４：ハウジング
１０６：クレードル部分
１０８：ハンドル部分
１１０：トリガースイッチ
１１２：コントロールスイッチ
１１４：ディスプレイ
１１６：アイコン
１２０：プロセッサ
１２２：メモリ
１２４：データ取得装置
１２６：光源
１２８、１３０、１４２：コネクタ
１３４：運動センサ
１３６：トランシーバ
１４０：バッテリ
１４４：センサ
２００：アダプタ
２０２：クレードル部分
２０４：ハンドル部分
２０６：スロット
２０８：データ取得装置
２１０：トリガースイッチ
２１２：空洞
２１４：コネクタ
３００：アダプタ
３０２：移動装置
３０４：クレードル部分
３０６：ハンドル部分
３０８：ディスプレイ
３１０：アイコン
３１２、３１４：コネクタ
３１６：長手軸
４００：アダプタ
４０２：移動装置
４０４：ホルスター
４０６：ベルト
４０８：バックル
４１０：クレードル部分
４１２：ハンドル部分
【図１】
2015529889.tif 000003
【図２】
2015529889.tif 000004
【図３】
2015529889.tif 000005
【図４】
2015529889.tif 000006
【国際調査報告】
2015529889.tif 000007
2015529889.tif 000008
2015529889.tif 000009